(57)【要約】【課題】被曝のおそれがある被脱水粉体を上排出型遠心分離機において脱水して後工程に送る際に、当該被曝の危険性を大幅に低減することが可能になる脱水袋を提供する。【解決手段】上端部に被脱水粉体の供給口１ａが形成され、底面に開口部１ｂが形成されたろ布からなる有底筒状の本体１と、本体１の開口部の周縁部に一端部が一体的に接続され、本体の内方または外方に屈曲可能な筒状の排出部２と、この排出部の外周に設けられて排出部を開閉する開閉手段３と、本体の供給口を着脱自在に塞ぐ上部蓋体７と、下端部が本体１の外周下部に接続されるとともに上端部が吊持手段に係合する複数本の第１のワイヤ４と、下端部が本体１の上部に接続されるとともに上端部が吊持手段に係合する複数本の第２のワイヤ５とを備えてなる。【選択図】図１
2010012377.tif 000002
【特許請求の範囲】
【請求項１】
上部に形成された開口から供給・排出が行われる上排出型遠心分離機に用いられる脱水袋であって、
上端部に被脱水粉体の供給口が形成されるとともに、底面に開口部が形成されたろ布からなる有底筒状の本体と、
この本体の上記開口部の周縁部に一端部が一体的に接続されるとともに、上記本体の内方または外方に屈曲可能な可撓性を有する筒状の排出部と、
この排出部の外周に設けられて当該排出部が上記本体の外方にある際に上記排出部を開閉可能な開閉手段と、
上記本体の上記供給口に着脱自在に設けられて当該供給口を塞ぐ上部蓋体と、
上記本体の周方向に間隔をおいて設けられ、下端部が上記本体の外周下部に接続されるとともに上端部が吊持手段に係合することにより上記本体を吊持可能とする複数本の第１のワイヤと、
上記本体の周方向に間隔をおいて設けられ、下端部が上記本体の上部に接続されるとともに上端部が吊持手段に係合することにより上記本体を吊持可能とする複数本の第２のワイヤとを備えてなることを特徴とする脱水袋。
【請求項２】
上記上部蓋体は、下部外周が上記供給口の外周縁に着脱自在に形成された接続部と、この接続部の内周から一体的に上方に向けて筒状に延在するとともに、上端部に開口部が形成された可撓性を有する筒状の操作筒部と、この操作筒部の外周に設けられて当該操作筒部を縮径可能な封止手段とを備えてなることを特徴とする請求項１に記載の脱水袋。
【請求項３】
上記操作筒部の内壁面には、操作具を収納可能なポケットが形成されていることを特徴とする請求項２に記載の脱水袋。
【発明の詳細な説明】
【技術分野】
【０００１】
本発明は、上排出型遠心分離機に供給されて内部に収納した治験薬等の被脱水粉体を脱水するために用いられる脱水袋に関するものである。
【背景技術】
【０００２】
医療品製造分野における新薬の開発初期段階においては、試験的に合成した治験薬によって、各種の効能等の実証実験が行われている。
そして、このような治験薬を製造する際には、スラリー状の被脱水粉体を脱水した後に乾燥処理して上記治験薬を得る工程があり、一般に上記脱水工程においては、上部に形成された開口から供給・排出が行われる上排出型遠心分離機が用いられ、上記乾燥工程においては、コニカル乾燥機が用いられている。
【０００３】
ところで、上記脱水工程においては、脱水袋を上排出型遠心分離機の上部開口から内部に配置し、蓋体によって上記開口を閉じて脱水袋内に上記湿体を供給後、脱水を行うと、遠心力によって脱水された粉体が脱水袋の外周に硬い層状をなして固着する。そして、上記上排出型遠心分離機は、回転中心の底部に、駆動機構に連結される台形筒状のコーン部が形成されているために、上記傾向が一層顕著になる。
【０００４】
このため、上記蓋体を外して脱水袋内の湿体を乾燥工程に送る際に、作業員が上記脱水袋内に固着した粉体を小型のスコップ等を用いて突き崩しながら掻き出して、別の容器に移していた。また、上記乾燥工程においては、人手によって上記容器内の粉体をコニカル乾燥機内に投入していた。
【０００５】
この結果、上記上排出型遠心分離機からの粉体の掻き出しや、コニカル乾燥機内への上記粉体の投入時に、作業者が上記粉体に含まれる高薬理活性物質によって被曝する危険性があり、その対策が要請されていた。
【発明の開示】
【発明が解決しようとする課題】
【０００６】
本発明は、かかる事情に鑑みてなされたもので、被曝のおそれがある被脱水粉体を上排出型遠心分離機において脱水して後工程に送る際に、当該被曝の危険性を大幅に低減することが可能になる脱水袋を提供することを課題とするものである。
【課題を解決するための手段】
【０００７】
上記課題を解決するために、請求項１に記載の発明は、上部に形成された開口から供給・排出が行われる上排出型遠心分離機に用いられる脱水袋であって、上端部に被脱水粉体の供給口が形成されるとともに、底面に開口部が形成されたろ布からなる有底筒状の本体と、この本体の上記開口部の周縁部に一端部が一体的に接続されるとともに、上記本体の内方または外方に屈曲可能な可撓性を有する筒状の排出部と、この排出部の外周に設けられて当該排出部が上記本体の外方にある際に上記排出部を開閉可能な開閉手段と、上記本体の上記供給口に着脱自在に設けられて当該供給口を塞ぐ上部蓋体と、上記本体の周方向に間隔をおいて設けられ、下端部が上記本体の外周下部に接続されるとともに上端部が吊持手段に係合することにより上記本体を吊持可能とする複数本の第１のワイヤと、上記本体の周方向に間隔をおいて設けられ、下端部が上記本体の上部に接続されるとともに上端部が吊持手段に係合することにより上記本体を吊持可能とする複数本の第２のワイヤとを備えてなることを特徴とするものである。
【０００８】
また、請求項２に記載の発明は、請求項１に記載の発明において、上記上部蓋体が、下部外周が上記供給口の外周縁に着脱自在に形成された接続部と、この接続部の内周から一体的に上方に向けて筒状に延在するとともに、上端部に開口部が形成された可撓性を有する筒状の操作筒部と、この操作筒部の外周に設けられて当該操作筒部を縮径可能な封止手段とを備えてなることを特徴とするものである。
【０００９】
さらに、請求項３に記載の発明は、請求項２に記載の発明において、上記操作筒部の内壁面には、操作具を収納可能なポケットが形成されていることを特徴とするものである。
【発明の効果】
【００１０】
請求項１〜３のいずれかに記載の脱水袋は、上端部に被脱水粉体の供給口が形成されたろ布からなる有底筒状の本体と、この本体の底面に形成された開口部に一体的に接続されるとともに、下端部が開口する筒状の排出部とによって構成されている。
このため、先ず排出部の外周に設けられた開閉手段によって当該排出部を閉じて、上記排出部を本体内に屈曲させることにより、内部に被脱水粉体が収納可能になる。
【００１１】
次いで、上記脱水袋を、上排出型遠心分離機の上部に形成された開口から内部にセットする。この際に、第１のワイヤの上端部を上記開口に臨ませておく。この脱水袋のセットが完了した後に、上蓋によって上記開口を閉じ、脱水袋を回転させつつ、その内部にスラリー状の被脱水粉体を供給して脱水を行う。そして、脱水工程が終了した後に、上排出型遠心分離機の上蓋を開けるとともに、脱水袋の供給口を上部蓋体によって塞ぐ。
【００１２】
次いで、第１のワイヤの上端部を吊持手段に係合させて、脱水袋を吊り上げることにより、上記上排出型遠心分離機から取り出す。すると、複数本の上記第１のワイヤの下端部は、脱水袋の外周下部に接続されているために、当該脱水袋は、第１のワイヤによって絞られた状態で、下部からその荷重が支持される。
【００１３】
そして、上記上排出型遠心分離機から採りだした脱水袋を、上記吊持手段によって直接、または一旦容器に収納して、乾燥工程へと搬送する。なお、この乾燥工程においては、下端部が本体の上部に接続された第２のワイヤを用いて、吊持手段により脱水袋を吊り上げる。これにより、脱水袋内の粉体は、本体の底部および排出部に集まる。
【００１４】
この状態で、脱水袋を乾燥機の供給口の上方に位置させ、本体から下方に垂れ下がる排出部の外周側から開閉手段を操作して、当該排出部の下端開口を開く。
これにより、脱水袋内の粉体を乾燥機内に投入することができる。
【００１５】
このように、上記脱水袋によれば、被曝のおそれがある被脱水粉体を上排出型遠心分離機において脱水して後工程に送る場合にも、当該被曝の危険性を大幅に低減することができる。
【００１６】
なお、上排出型遠心分離機において脱水処理した後に、脱水袋の外周における粉体の固着が強固なものではない場合や、上排出型遠心分離機の回転内筒の形状によって、そのまま脱水袋を上方に抜き出すことかできる場合には、上述した手順によって、上排出型遠心分離機からの脱水袋の取り出しや、内部の粉体の乾燥機への投入を行うことが可能であるが、上記粉体の固着が強固な場合には、脱水後に上排出型遠心分離機内において小型のスコップ等を用いて固着した上記粉体を突き崩しておく必要がある。
【００１７】
このような場合には、請求項２に記載の発明のように、上部蓋体として、下部外周が本体の供給口の外周縁に着脱自在に形成された接続部と、この接続部の内周から一体的に上方に向けて筒状に延在するとともに、上端部に開口部が形成された可撓性を有する筒状の操作筒部と、この操作筒部の外周に設けられて当該操作筒部を縮径可能な封止手段とを備えたものを用いることが好ましい。
【００１８】
上記上部蓋体によれば、接続部を本体の供給口の外周縁に取り付け、作業者が筒状の操作筒部の上端開口から内部に小型のスコップ等の操作具を把持した腕を挿入して、さらに操作筒部における上記腕の外周を封止手段によって締め付けておくことにより、上記操作具を操作して脱水袋の内部に固着した粉体を突き崩すことができる。この際に、封止手段によって、操作筒部の外周を腕に密着するように締め付けておくことができるために、内部の粉体が外部に飛散することも防止することができる。
【００１９】
さらに、請求項３に記載の発明のように、上記操作筒部の内壁面に、上記操作具が収納可能なポケットを形成しておけば、上記作業が終了した後に、使用した操作具を上記ポケットに収納しておくことにより、当該操作具に付着した上記粉体によって外部が汚染されるおそれもない。
【発明を実施するための最良の形態】
【００２０】
図１〜図５は、本発明に係る上排出型遠心分離機用の脱水袋の一実施形態を示すものであり、図６〜図１１は、その使用方法を示すものである。
これらの図において、符号１がこの脱水袋の本体である。この本体は、ポリプロピレン等の所定の通水性を有する繊維製のろ布によって形成された外観略有底円筒状のもので、上端部に被脱水粉体の供給口１ａが形成されるとともに、底面に開口部１ｂが形成されている。また、供給口１ａの周縁部は、平坦な円環板状に形成されており、その上面にポリエステル製の面ファスナのメス側８ａが取り付けられている。
【００２１】
そして、この本体１の底面の開口部１ｂの周縁部に、外簡略円筒状の排出部２が接続されている。この排出部２は、本体１と同じポリプロピレン等の繊維であって、かつ本体１よりも可撓性に優れた素材によって形成されたもので、一端部の外周が本体１の開口部１ｂの周縁部に縫いつけられることにより一体的に接続されている。ここで、排出部２は、本体１との接続端部から他端部に向けて内径が漸次小さくなるテーパー部２ａと、このテーパー部２ａから他端部に至る内径が一定の円筒部２ｂとによって形成されている。
【００２２】
これにより、排出部２は、本体１の外方から内方へ、また内方から外方へと屈曲可能に形成されている。また、図１に示す、排出部２が本体１の外方にある状態において、円筒部２ｂの外周となる面には、ポリプロピレン等の繊維からなる紐（開閉手段）３が取り付けられている。そして、この排出部２は、紐３を円筒部２ｂの外周に巻回して締め付けることにより閉塞可能になっている。
【００２３】
さらに、この脱水袋においては、これを吊り上げ治具等の吊持手段（図示を略す。）によって吊り上げるための第１および第２のワイヤ４、５が設けられている。
先ず、第１のワイヤ４は、本体１と同一の素材によって形成されたもので、図１に示すように、下端部４ａが本体１の底部外周に縫いつけられることにより固定されるとともに、本体１の底部および外周を経て上端部が供給口１ａの近傍に配置されている。
【００２４】
そして、第１のワイヤ４は、上端部分が本体１の外周に設けられた振れ止めリング６に挿通されることにより、本体１の周方向および内外方向へのズレが防止された状態で位置保持されている。さらに、第１のワイヤ４は、図４に示すように、本体１の円周方向に等間隔をおいた複数箇所（図では１／４周をおいた４箇所）に取り付けられており、各々の上端部には、吊持手段のフックを掛けるためのリング４ｂが形成されている。
【００２５】
他方、第２のワイヤ５は、本体１と同一の素材によって形成されたもので、図３に示すように、下端部５ａが本体１の上部外周に縫いつけられることにより固定されるとともに上端部には、吊持手段のフックを掛けるためのリング５ｂが形成されている。そして、第２のワイヤ５は、図４に示すように、第１のワイヤ４間の中間に位置するように、本体１の円周方向に等間隔をおいた複数箇所（図では４箇所）に設けられている。
【００２６】
また、この脱水袋においては、本体１の供給口１ａに取り付けられる上部蓋体７が備えられている。
この上部蓋体７は、本体１の供給口１ａの周縁部と対向する円環板状の接続部７ａと、この接続部７ａの内周に下端部が縫いつけられて一体的に上方に向けて筒状に延在するとともに、上端部に開口部７ｂが形成された外観略円筒状の操作筒部７ｃとから概略構成されたものである。
【００２７】
ここで、接続部７ａは、本体１と同一の素材によって形成されており、その下面には本体１側に取り付けた面ファスナのメス側８ａと係合するポリエステル製の面ファスナのオス側８ｂが取り付けられている。
また、操作筒部７ｃは、これよりも可撓性に優れる排出部２ｂと同一の素材によって形成されている。
【００２８】
さらに、操作筒部７ｃは、その下部が接続部７ａから上方に向けて漸次縮径するテーパー状に形成されるとともに、当該テーパー部の上方は、人の腕が緩く挿入可能な円筒状に形成されている。そして、テーパー部と円筒部との境目の外周に、ポリプロピレン等の繊維からなる紐９が取り付けられており、操作筒部７ｃは、紐９を外周に巻回して締め付けることにより閉塞可能になっている。
【００２９】
加えて、この操作筒部７ｃにおける円筒部の上部外周には、当該操作筒部７ｃと同一素材からなる帯状のバンド（封止手段）１０の一端部が固定されている。このバンド１０の片面には、ポリエステル製の面ファスナのオス側１１ｂが取り付けられており、他方操作筒部７ｃの外周面には、上記面ファスナのメス側１１ａが取り付けられている。また、操作筒部７ｃにおけるテーパー部の内面には、図５に示すように、２重構造となって蓋１２ａにより開閉自在のポケット１２が縫いつけられている。
【００３０】
次に、図１〜図１１に基づいて、上記構成からなる脱水袋の使用方法について説明する。なお、図６〜図１０において、二点鎖線で示す部分は、上排出型遠心分離機の回転内筒２０および駆動系に連結されたコーン部２１である。
先ず、図２に示すように、排出部２の外周に設けた紐３を外周に巻回して締め付けることにより、当該排出部を閉塞させた後、この排出部２を本体１内に屈曲させておく。
【００３１】
次いで、この脱水袋を、上排出型遠心分離機の上部に形成された開口から回転内筒２０の内壁によってセットし、上蓋によって上記開口を閉じた後に、回転内筒２０を回転させて脱水袋を回転させつつ、その内部にスラリー状の被脱水粉体を供給して脱水を行う。そして、脱水工程が終了した後に、上排出型遠心分離機の上蓋を開けると、図６に示すように、脱水処理された粉体Ｐは、脱水袋の外周に沿って硬い層状をなして固着した状態になっている。このため、回転内筒２０の上端鍔部２０ａが妨げとなって、脱水袋を上排出型遠心分離機から抜き出すことができない。
【００３２】
そこで、先ず図７に示すように、脱水袋の供給口１ａを、上部蓋体７によって塞ぐ。これは、本体１の上面の面ファスナのメス側８ａに、上部蓋体７の接続部７ａの下面に取り付けた面ファスナのオス側８ｂを係合させることにより、簡単に行うことができる。
【００３３】
次いで、図８に示すように、作業者が操作筒部７の上端開口部７ｂから内部に小型のスコップ等の操作具Ｔを手袋をして把持した腕Ａを挿入し、さらにバンド１０によって操作筒部７における腕Ａの外周を締め付けておく。そして、操作具Ｔを操作して脱水袋の外周部に固着した粉体Ｐを突き崩す。この際に、バンド１０によって、操作筒部７の外周を腕Ａに密着するように締め付けておくことができるために、内部の粉体Ｐが外部に飛散することを防止することができる。
【００３４】
このようにして、固着していた粉体Ｐを崩した後に、図９に示すように、使用していた操作具Ｔおよび手袋を上部蓋体７の内壁に設けたポケット１２内に収納し、腕を操作筒部７から引き抜いた後に、紐９およびバンド１０を外周に巻回して締め付けることにより、当該操作筒部７を閉塞させる。
【００３５】
この状態から、図１０に示すように、４本の第１のワイヤ４のリング４ｂに吊持手段のフックＨを通して脱水袋を吊り上げることにより、上排出型遠心分離機の回転内筒２０から取り出す。すると、４本の第１のワイヤ４の下端部４ａは、それぞれ脱水袋の底部に接続されているために、脱水袋は、第１のワイヤ４によって絞られた状態で、下部からその荷重が支持される。
【００３６】
そして、上排出型遠心分離機から採りだした脱水袋を、上記吊持手段によって一旦容器に収納して、乾燥工程へと搬送する。
次いで、乾燥工程においては、図１１に示すように、下端部５ａが本体１の上端部に接続された第２のワイヤ５のリング５ｂを仮紐でさらにリング状にして、このリングを吊持手段のフックＨに通して脱水袋を吊り上げる。これにより、脱水袋の本体１は縦長になり、内部の粉体Ｐが底部および排出部２に集まる。
【００３７】
この状態で、脱水袋を乾燥機Ｄの供給口Ｄ1の上方に位置させ、本体１から下方に垂れ下がる排出部２の外周側から紐３を解して排出部２の下端開口を開く。これにより、脱水袋内の粉体Ｐを乾燥機Ｄ内に投入することができる。
【００３８】
このように、上記脱水袋によれば、被曝のおそれがある被脱水粉体Ｐを上排出型遠心分離機において脱水して後工程に送る場合にも、当該被曝の危険性を大幅に低減することができる。しかも、上部蓋体７の操作筒部７ｃの内壁面に、操作具Ｔが収納可能なポケット１２を設けているために、使用した操作具Ｔをポケット１２に収納しておくことにより、当該操作具Ｔに付着した粉体Ｐによって外部が汚染されるおそれもない。
【００３９】
なお、上記実施の形態においては、脱水後に上排出型遠心分離機内において操作具Ｔを用いて、固着した粉体Ｐを突き崩しておく必要がある場合を想定し、接続部７ａおよび操作筒部７ｃを備えた構成の上部蓋体７を用いた場合についてのみ説明したが、本発明はこれに限定されるものではなく、上排出型遠心分離機において脱水処理した後に、脱水袋の外周における粉体の固着が強固なものではない場合等には、そのまま上排出型遠心分離機からの脱水袋の取り出しや、内部の粉体の乾燥機への投入を行うことが可能であるために、上部蓋体７に代えて、外周下面に面ファスナのオス側８ｂを取り付けた平板状の蓋体を用いることもできる。
【図面の簡単な説明】
【００４０】
【図１】本発明に係る脱水袋の一実施形態を示す縦断面図である。
【図２】図１の排出部を閉塞させて本体の内部に屈曲させた状態を示す縦断面図である。
【図３】図１の本体における第２のワイヤの取付部分を拡大して示す縦断面図である。
【図４】図１の本体における第１および第２のワイヤの配置を示す平面図である。
【図５】図１のＡ−Ａ矢視したポケットの正面図である。
【図６】脱水工程が終了した後に上排出型遠心分離機の上蓋を開けた状態を示す縦断面図である。
【図７】本体の供給口を上部蓋体によって塞いだ状態を示す縦断面図である。
【図８】上部蓋体を利用して本体内の粉体を突き崩す状態を示す縦断面図である。
【図９】図８の作業が完了した後に、上部蓋体を閉塞させた状態を示す縦断面図である。
【図１０】第１のワイヤによって脱水袋を吊り上げた状態を示す縦断面図である。
【図１１】第２のワイヤによって脱水袋を吊り上げて粉体を乾燥機に投入する状態を示す縦断面図である。
【符号の説明】
【００４１】
１  本体
１ａ  供給口
１ｂ  開口部
２  排出部
３、９  紐（開閉手段）
４  第１のワイヤ
５  第２のワイヤ
４ａ、５ａ  下端部
４ｂ、５ｂ  リング
７  上部蓋体
７ａ  接続部
７ｂ  開口部
７ｃ  操作筒部
１０  バンド（封止手段）
１２  ポケット
【図１】
2010012377.tif 000003
【図２】
2010012377.tif 000004
【図３】
2010012377.tif 000005
【図４】
2010012377.tif 000006
【図５】
2010012377.tif 000007
【図６】
2010012377.tif 000008
【図７】
2010012377.tif 000009
【図８】
2010012377.tif 000010
【図９】
2010012377.tif 000011
【図１０】
2010012377.tif 000012
【図１１】
2010012377.tif 000013